(57)【要約】【課題】住居人の、行動忘れを住居人に報知することができる生活支援報知システムを提供する。【解決手段】制御装置１とセンサ端末２とにより、住宅の玄関における玄関ドアの開閉を検知する検知手段と、映像表示装置の稼動を検出する稼動検出手段と、前記検知手段を用いてドアの開閉を検知した後、最初に前記稼動検出手段により前記映像表示装置の稼動を検出した場合に、前記映像表示装置によって鍵の閉め忘れを確認する情報を報知する報知手段と、を備えるようにした。【選択図】図１
2010236248.tif 000002
【特許請求の範囲】
【請求項１】
住宅の玄関における玄関ドアの開閉を検知する検知手段と、
映像表示装置の稼動を検出する稼動検出手段と、
検知手段を用いてドアの開閉を検知した後、最初に稼動検出手段により映像表示装置の稼動を検出した場合に、映像表示装置によって鍵の閉め忘れを確認する情報を報知する報知手段と、
を備えることを特徴とした生活支援報知システム。
【請求項２】
前記報知手段は、予め設定された就寝時刻に、映像表示装置によって鍵の閉め忘れを確認する情報を報知することを特徴とした請求項１記載の生活支援報知システム。
【請求項３】
住居人が前日以前に外出したと推定される外出推定時刻を設定する設定手段と、前記設定手段により設定された外出推定時刻を記憶する記憶手段と、を備え、前記報知手段は前記記憶手段に記憶された外出推定時刻前に予め外出時に鍵を閉め忘れずに外出するように促す情報を映像表示装置によって報知することを特徴とした請求項１または２に記載の生活支援報知システム。
【請求項４】
前記住宅の前記玄関ドアに配設された電気錠が施錠されたことを検出する電気錠検出手段と、
前記電気錠検出手段を用いて検出した電気錠の検出履歴を記憶する電気錠記憶手段と、
電気錠記憶手段に記憶された検出履歴を報知する第２の報知手段と、を備えることを特徴とした請求項１乃至３のいずれか一項に記載の生活支援報知システム。
【請求項５】
前記住宅の前記玄関ドアに配設された電気錠の施錠状態を検出する第２の電気錠検出手段と
報知手段により報知がなされた後、第２の電気錠検出手段により所定時間内に電気錠の施錠状態が検出されなかった場合に、前記電気錠の施錠制御を行う電気錠制御手段と、を備えることを特徴とした請求項１乃至３のいずれか一項に記載の生活支援報知システム。
【発明の詳細な説明】
【技術分野】
【０００１】
本願発明は、生活支援報知システムに関するものである。
【背景技術】
【０００２】
近年、高齢者の人口増加に伴い、高齢者の独居世帯が増加する傾向にある。高齢者が一人暮らしをしていると、いわゆる認知症が進みやすく、認知症の初期状態として物忘れが多くなる場合がある。物忘れが多くなると、生活する上で欠かせない基本的な生活行動さえ忘れてしまうようになり、例えば扉の施錠を忘れてしまう可能性がある。このような状況を放置しておくと物忘れがひどくなって、認知症が進行する可能性があるばかりでなく、セキュリティ上の問題も存在する。
同居人がいれば同居人の声かけによって、高齢者自身が気付いていない生活行動を認識させ、問題点を改善することができるが、高齢者の独居世帯では高齢者の日常生活を見てくれる同居人がいないため、高齢者に対して、生活行動忘れを気付かせることができないという問題があり、問題点を高齢者に指摘して、行動忘れを防ぎたいという要望があった。
ところで、住居人の生活を支援するシステムとして、例えば特許文献１に示されるような支援システムが従来提案されている。この支援システムは、リモートコントロール操作が可能な各種生活設備機器の動作状況を収集するとともに、収集データから時系列に沿った一連の動作パターンを抽出し、抽出した動作パターンを予め登録された動作パターンとマッチングすることで、次の動作を予測して、生活設備機器の操作を提案したり、代行するシステムである。
【先行技術文献】
【特許文献】
【０００３】
【特許文献１】特開２００８−１９１１０９号公報
【発明の概要】
【発明が解決しようとする課題】
【０００４】
上述の支援システムは、住居人が生活設備機器を操作した動作パターンをもとに次の動作を予測して、生活設備機器の操作を提案したり、代行することで、住居人による生活設備機器の操作を支援するものであるが、住居人が日常的に行う生活行動をし忘れていることを検知して、行動忘れを報知する機能は備えておらず、このような生活行動のし忘れを報知するシステムが要望されていた。
本願発明は、上記背景技術に鑑みて発明されたものであり、その課題は、住居人の、行動忘れを住居人に報知することができる生活支援報知システムを提供することである。
【課題を解決するための手段】
【０００５】
上記課題を解決するために、本願請求項１記載の発明では、住宅の玄関における玄関ドアの開閉を検知する検知手段と、映像表示装置の稼動を検出する稼動検出手段と、検知手段を用いてドアの開閉を検知した後、最初に稼動検出手段により映像表示装置の稼動を検出した場合に、映像表示装置によって鍵の閉め忘れを確認する情報を報知する報知手段と、を備えることを特徴とした。
【０００６】
又、本願請求項２記載の発明では、上記請求項１記載の生活支援報知システムにおいて、前記報知手段は、予め設定された就寝時刻に、映像表示装置によって鍵の閉め忘れを確認する情報を報知することを特徴とした。
【０００７】
又、本願請求項３記載の発明では、上記請求項１または２記載の生活支援報知システムにおいて、住居人が前日以前に外出したと推定される外出推定時刻を設定する設定手段と、前記設定手段により設定された外出推定時刻を記憶する記憶手段と、を備え、前記報知手段は前記記憶手段に記憶された外出推定時刻前に予め外出時に鍵を閉め忘れずに外出するように促す情報を映像表示装置によって報知することを特徴とした。
【０００８】
又、本願請求項４記載の発明では、上記請求項１乃至３のいずれか一項に記載の生活支援報知システムにおいて、前記住宅の前記玄関ドアに配設された電気錠が施錠されたことを検出する電気錠検出手段と、前記電気錠検出手段を用いて検出した電気錠の検出履歴を記憶する電気錠記憶手段と、電気錠記憶手段に記憶された検出履歴を報知する第２の報知手段と、を備えることを特徴とした。
又、本願請求項５記載の発明では、上記請求項１乃至３のいずれか一項に記載の生活支援報知システムにおいて、前記住宅の前記玄関ドアに配設された電気錠の施錠状態を検出する第２の電気錠検出手段と報知手段により報知がなされた後、第２の電気錠検出手段により所定時間内に電気錠の施錠状態が検出されなかった場合に、前記電気錠の施錠制御を行う電気錠制御手段と、を備えることを特徴とした。
【発明の効果】
【０００９】
本願請求項１記載の発明の生活支援報知システムにおいては、住宅の玄関における玄関ドアの開閉を検知する検知手段と、映像表示装置の稼動を検出する稼動検出手段と、検知手段を用いてドアの開閉を検知した後、最初に稼動検出手段により映像表示装置の稼動を検出した場合に、映像表示装置によって鍵の閉め忘れを確認する情報を報知する報知手段と、を備えるので、住居人が玄関ドアの鍵を閉め忘れていた場合に玄関ドアの鍵を閉めるように促すことができる。
【００１０】
又、本願請求項２記載の発明の生活支援報知システムにおいては、特に、前記報知手段は、予め設定された就寝時刻に、映像表示装置によって鍵の閉め忘れを確認する情報を報知するので、住居人が玄関ドアの鍵を閉め忘れていた場合に、所定就寝時刻において玄関ドアの鍵を閉めるように促すことができる。
【００１１】
又、本願請求項３記載の発明の生活支援報知システムにおいては、特に、住居人が前日以前に外出したと推定される外出推定時刻を設定する設定手段と、前記設定手段により設定された外出推定時刻を記憶する記憶手段と、を備え、前記報知手段は前記記憶手段に記憶された外出推定時刻前に予め外出時に鍵を閉め忘れずに外出するように促す情報を映像表示装置によって報知するので、住居人に外出時に鍵を閉め忘れずに外出するように促すことができる。
【００１２】
又、本願請求項４記載の発明の生活支援報知システムにおいては、特に、前記住宅の前記玄関ドアに配設された電気錠が施錠されたことを検出する電気錠検出手段と、前記電気錠検出手段を用いて検出した電気錠の検出履歴を記憶する電気錠記憶手段と、電気錠記憶手段に記憶された検出履歴を報知する第２の報知手段と、を備えるので、報知手段に基づく報知後の電気錠の施錠状況を第２の報知手段により取得し、施錠状況の確認を行うことができる。
又、本願請求項５記載の発明の生活支援報知システムにおいては、特に、前記住宅の前記玄関ドアに配設された電気錠の施錠状態を検出する第２の電気錠検出手段と報知手段により報知がなされた後、第２の電気錠検出手段により所定時間内に電気錠の施錠状態が検出されなかった場合に、前記電気錠の施錠制御を行う電気錠制御手段と、を備えるので、報知手段により報知されても電気錠の施錠が行われなかった場合に自動で電気錠の施錠を行うことができる。
【図面の簡単な説明】
【００１３】
【図１】本願発明の第１の実施形態である生活支援報知システムのシステム構成図である。
【図２】本願発明の第１の実施形態である生活支援報知システムのセンサ状態格納部の内部構成図である。
【図３】本願発明の第１の実施形態である生活支援報知システムのＴＶ通知内容格納部の内部構成図である。
【図４】本願発明の第１の実施形態である生活支援報知システムのフローチャートである。
【図５】本願発明の第２の実施形態である生活支援報知システムのシステム構成図である。
【図６】本願発明の第２の実施形態である生活支援報知システムのセンサ状態格納部の内部構成図である。
【図７】本願発明の第２の実施形態である生活支援報知システムの全体処理を示すフローチャートである。
【図８】本願発明の第２の実施形態である生活支援報知システムの就寝前処理を示すフローチャートである。
【図９】本願発明の第２の実施形態である生活支援報知システムの外出前処理を示すフローチャートである。
【図１０】本願発明の第２の実施形態である生活支援報知システムの帰宅後処理を示すフローチャートである。
【図１１】本願発明の第２の実施形態である生活支援報知システムの外出推定時刻格納処理を示すフローチャートである。
【図１２】本願発明の第２の実施形態である生活支援報知システムのＥメール通知内容格納部の内部構成図である。
【発明を実施するための形態】
【００１４】
図１は本願発明の第１の実施形態の概略的なシステム構成図であり、住居人が多くの時間を過ごす部屋、例えば映像表示装置であるテレビ１００が設置された居間に配設された制御装置１と、玄関に設置されたセンサ端末２と、を主要な構成として備えている。センサ端末２は、住宅の玄関に設置され、玄関のドアの開閉を検知して検出結果を制御装置１に出力するものである。このセンサ端末２は全体的な制御を行うＣＰＵ３０と、玄関のドア開閉を検知する開閉センサ３１と、アンテナ３２ａを介して無線信号（電波信号）を送受信する無線通信部３２と、無線通信部３２が送信する送信データを格納する送信データ格納部３３とを備え、開閉センサ３１の検出信号を定期的に制御装置１に無線送信するものである。すなわち開閉センサ３１およびＣＰＵ３０から検知手段が構成されている。
制御装置１は、ＡＣ１００Ｖ用の電源コンセント（図示せず）に接続される一対の栓刃３と、テレビ１００の電源プラグ１００ａが接続されるコンセント口４とを備え、栓刃３が電源コンセントに接続されるとともに、電源プラグ１００ａがコンセント口４に接続されると、栓刃３を介して入力される交流電源から制御装置１の動作電源を得るとともに制御装置１を介してテレビ１００に交流電源が供給される。
また、制御装置１は全体的な制御を行うＣＰＵ５と、栓刃３とコンセント口４との間を接続する電路に流れる電流を検出するカレントトランスのような電流センサ６と、電流センサ６のアナログ出力をデジタル信号に変換してＣＰＵ５に出力するＡ／Ｄ変換部７と、Ａ／Ｄ変換部７によりデジタル信号に変換されたテレビ１００の入力電流値を記憶する電流値格納部８と、テレビ１００との間でＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格の通信を行うＨＤＭＩ通信部９と、ＨＤＭＩ通信部９からテレビ１００へ出力させる制御データを格納するＨＤＭＩ制御データ格納部１０と、ＨＤＭＩ通信部９からテレビ１００へ出力させる映像、音声の信号（ＡＶデータ）を格納するＨＤＭＩＡＶデータ格納部１１と、アンテナ１２ａを介して無線信号（電波信号）を送受信する無線通信部１２と、無線通信部１２が受信した受信データを格納する受信データ格納部１３と、前日および当日のそれぞれについてセンサ端末２により検出された玄関のドアの開閉検知データを格納するセンサ状態格納部１４と、テレビ１００を用いて映像や音声で通知する通知内容を格納するＴＶ通知内容格納部１５と、住居人の就寝予定時刻を格納する就寝予定時刻格納部１６と、住居人の前日の外出推定時刻を格納する前日外出時刻格納部１７と、を備えている。また、ＣＰＵ５は、動作クロックをカウントすることによって現在の時刻情報を取得するタイマ５ａを備えている。
制御装置１では、無線通信部１２が居間に配設されたセンサ端末２から送信された無線信号を受信すると、受信データを受信データ格納部１３に一旦格納しており、ＣＰＵ５では受信データ格納部１３に格納された受信データを受信時刻と対応付けてセンシング情報としてセンサ状態格納部１４に格納している。図２は、玄関のドアのセンシング情報を示しており、センシング情報が所定の時間間隔（本実施形態では４分間隔）で格納されている。ＣＰＵ５は前記所定の時間間隔において１回でも玄関のドアの開閉が検知された場合を「開」、ドアの開閉が全く検知されたかった場合を「閉」としてセンシング情報を格納している。また、ドアの開閉が検知された場合は、住居人に戸締り確認情報を報知するが、センサ状態格納部１４には、戸締り確認情報を報知した報知時刻を書き込む領域が前記所定時間ごとに対応して設けられている。なお、制御装置１は逐次センシング情報を取得しており、センサ状態格納部１４には、所定の時間間隔（例えば４分間隔）でセンシング情報が格納される。
そして、制御装置１は、センサ状態格納部１４に格納されたセンシング情報をもとに住居人への玄関ドアの「開」を検知した場合に、住居人が帰宅したと推定して住居人に戸締りの確認を報知する戸締り確認処理を実行している。
また、稼動検知手段としてのＣＰＵ５は、Ａ／Ｄ変換部７によりデジタル信号に変換されたテレビ１００の入力電流値を記憶する電流値格納部８を参照することにより、テレビ１００の稼動を検出している。また、本システムでは、報知の形態としてテレビ１００を用いて映像や音声で住居人に報知しており、ＣＰＵ５はＨＤＭＩＡＶデータ格納部１１に格納された通知内容をＨＤＭＩ通信部９からテレビ１００に出力してテレビ１００から映像や音声で戸締り確認情報を報知している。ここにおいて本実施形態では制御装置１のＣＰＵ５、ＨＤＭＩ通信部９、テレビ１００などから報知手段が構成されている。
前日外出時刻格納部１７には、前日の玄関ドアの開閉が検知された時刻が外出推定時刻として格納されている。これはＣＰＵ５がセンサ状態格納部１４に格納された玄関ドアのセンシング情報に基づいて、外出推定時刻を前日外出格納部１７に格納するものであって、ＣＰＵ５およびセンサ状態格納部１４が設定手段を構成し、前日外出時刻格納部１７が記憶手段を構成するものである。
また、ＴＶ通知内容格納部１５には、テレビ１００を用いて映像や音声で住居人に通知する通知内容が格納されている。ここで、図３は、ＴＶ通知内容格納部１５の内部構成を示し、例えば「帰宅時」や「就寝時」といった事象に応じてそれぞれ住居人に通知する通知内容が格納されている。
次に、制御装置１が行う、戸締り確認処理を図４のフローチャートを用いて説明する。ＣＰＵ５は一定時間毎に（例えば１分毎）判断処理を実行しており、判断処理を開始すると、まずタイマ５ａの取得した現在時刻が就寝予定時刻であるか否かを判定し（Ｓ１）、就寝予定時刻であれば、ＴＶ通知内容格納部１５における事象「就寝時」に対応する通知内容を読み出してＨＤＭＩＡＶデータ格納部１１に格納し（Ｓ２）、Ｓ３の処理に移行する。一方、Ｓ１において現在時刻が就寝予定時刻でない場合もＳ３の処理に移行する。
次にＣＰＵ５は前日外出時刻格納部１７を参照し、外出推定時刻を取得し（Ｓ３）、現在時刻が外出推定時刻であるか否か判断する（Ｓ４）。現在時刻が外出推定時刻であれば、ＴＶ通知内容格納部１５における事象「外出時」に対応する通知内容を読み出してＨＤＭＩＡＶデータ格納部１１に格納し（Ｓ５）、前日外出時刻格納部１７に格納された当該外出推定時刻を消去し、Ｓ７の処理に移行する。一方、Ｓ４において現在時刻が外出推定時刻でない場合もＳ７の処理に移行する。
Ｓ７において、ＣＰＵ５はセンサ状態格納部１４の前日および当日のセンシング情報を参照し、現在時刻の３０分前の時刻から現在時刻の間の時間（直近３０分）においてドアの開閉が検知されたか否かを判断する（Ｓ８）。３０分以内にドアの開閉が検知されなければ後述のＳ１２の処理に移行する。一方、３０分以内にドアの開閉が検知されれば、ドアの開閉が検知された時刻の３０分前の時刻を外出推定時刻として、前日外出時刻格納部１７に格納した（Ｓ９）後、センサ状態格納部１４を参照し、検知したドアの開閉について戸締り確認情報を報知したか否かを判断する（Ｓ１０）。ここにおいて、戸締り情報を報知する場合には、後述のＳ１６で、センサ状態格納部１４に報知時刻が格納されるものであって、ＣＰＵ５は報知時刻がセンサ状態格納部１４に書き込まれているか否かによって、戸締り確認情報を報知したか否かを判断するものである。戸締り情報を報知したと判断した場合は、後述のＳ１２の処理に移行し、戸締り情報を報知していないと判断した場合は、ＴＶ通知内容格納部１５における事象「帰宅時」に対応する通知内容を読み出してＨＤＭＩＡＶデータ格納部１１に格納する（Ｓ１１）。
次にＣＰＵ５はＳ１２においてＨＤＭＩＡＶデータ格納部１１を参照し、ＨＤＭＩＡＶデータ格納部１１に通知内容が格納されているか否かを判断する（Ｓ１３）。通知内容が格納されていれば、ＣＰＵ５はＡ／Ｄ変換部７から入力された電流の検出結果からテレビ１００の電源がオンかオフかを判定し（Ｓ１４）、テレビ１００の電源がオンであれば、Ｓ１５においてＨＤＭＩＡＶデータ格納部１１に格納された通知内容が事象「帰宅時」に対応するものか否かを判断し（Ｓ１５）、「帰宅時」に対応するものであれば、センサ状態格納部１４の報知時刻書き込み領域において現在時刻から直近のドアの開閉が検知された時間帯に現在時刻を報知時刻として格納する（Ｓ１６）。
次にＣＰＵ５はＨＤＭＩＡＶデータ格納部１１に格納された通知内容をＨＤＭＩ通信部９からテレビ１００に出力させて、テレビ１００に住居人に対する報知動作を行う（Ｓ１７）。また、Ｓ１５においてＨＤＭＩＡＶデータ格納部１１に格納された通知内容が事象「帰宅時」以外の場合も、当該事象に対応する通知内容を住居人に報知する報知動作を行う。そしてＣＰＵ５はＨＤＭＩＡＶデータ格納部１１に格納された通知内容をクリア（Ｓ１８）して、処理を終了する。また、Ｓ１３の判定の結果ＨＤＭＩＡＶデータ格納部１１に通知内容が格納されていない場合や、Ｓ１４の判定の結果テレビ１００の電源がオフの場合もＣＰＵ５は処理を終了する。
以上説明したように、本システムでは住居人の「帰宅時」、「就寝時」、「外出時」を推定して、住居人に玄関ドアの施錠を促す報知を行っている。したがって、本システムによれば、住居人に玄関ドアの施錠を促す報知を行うことによって、住居人の施錠忘れを防ぐことができ、住居人が高齢者である場合などに特に有用なシステムである。
なお、「帰宅時」の検出については、テレビ１００の電源がオンとなった時刻から所定時間前のドアの開閉については報知動作を行わないなど、の判定処理を加える構成としてもよい。
次に本願発明の第２の実施形態について説明する。なお、実施形態１と共通する構成要素には同一の符号を付して、その説明を省略する。図５は本実施形態の概略的なシステム構成図であり、居間に配設された制御装置１と、玄関に配設されたセンサ端末２と、玄関ドアに配設された電気錠１０１と、電気錠１０１の施錠状態を制御装置１に送信する無線装置１０２とを主要な構成として備えている。無線装置１０２は、全体的な制御を行うＣＰＵ４０と、アンテナ４１ａを介して無線信号（電波信号）を送受信する無線通信部４１と、無線通信部４１が送信する送信データを格納する送信データ格納部４２と、無線通信部４１が受信する受信データを格納する受信データ格納部４３と、を備える。無線装置１０２では電気錠１０１から信号線を介して電気錠１０１の施錠状態（電気錠１０１の施錠状態および開錠状態）が入力されると、この施錠状態データを無線通信部４１から制御装置１に無線送信するものであり、また、制御装置１から電気錠１０１の施錠制御要求を受信して電気錠１０１を施錠制御するものである。
制御装置１は、第１の実施形態において説明した構成に加え、インターネットＮＴに接続するためのインターフェイス部（インターネットＩＦ部）１８と、電気錠１０１を制御するためのインターフェイス部（電気錠ＩＦ部）１９と、所定の通知先に送信されるＥメールの通知内容を格納するＥメール通知内容格納部２０と、報知動作を一時停止することを規定する報知停止データを格納する報知停止データ格納部２１と、報知停止データ格納部２１に報知停止データを格納する入力部２２と、を備えている。
また、無線通信部１２は、無線装置１０２から電気錠１０１の施錠状態データ受信し、この無線通信部１０２により受信された施錠状態データは受信データ格納部１３に格納される。ＣＰＵ５は、受信データ格納部１３に格納されたセンサ端末２からの玄関ドアの開閉検知データと無線装置１０２からの施錠状態データとを受信時刻と対応付けてセンシング情報としてセンサ状態格納部１４に格納している。図６は、センサ状態格納部１４の内部構成を示し、センシング情報が所定の時間間隔（本実施形態では４分間隔）で格納されている。また、本実施形態のシステムでは、ドアの鍵が施錠されていないことが検知された場合や、現在時刻が予め定められた所定の時刻である場合などに、住居人等に報知を行う形態であるが、センサ状態格納部１４には、所定の時間間隔ごとに報知を行った報知時刻を書き込む領域が設けられている。ここにおいて、電気錠１０１、無線装置１０２、ＣＰＵ５、センサ状態格納部１４等から電気錠検出手段および第２の電気錠検出手段が構成され、受信データ格納部１３およびセンサ状態格納部１４等から電気錠記憶手段が構成され、ＣＰＵ５、無線装置１０２等から電気錠制御手段が構成されている。
また、本システムでは、報知の形態として、テレビ１００を用いて映像や音声で住居人に報知する形態の他、介護ヘルパーや家族が所持する携帯電話機などの端末装置にＥメールで送信する形態があり、Ｅメールによる報知では、ＣＰＵ５がＥメール通知内容格納部２０格納された通知内容をもとにＥメールを作成して、インターネットＩＦ部１８から送信することで、介護ヘルパーなどが所持する携帯電話機などの端末装置に報知するＥメールを送信している。ここにおいて、本実施形態では制御装置１のＣＰＵ５、インターネットＩＦ部１８、Ｅメール通知内容格納部２０などから第２の報知手段が構成されている。
次に制御装置１が行う処理を図７〜１１のフローチャートに基づいて説明する。図７は制御装置１が行う全体処理のフローチャートであり、ＣＰＵ５は、一定の時間毎（例えば１分毎）に全体処理を繰り返し実行しており、全体処理を開始すると、就寝前にドアの施錠を促す就寝前処理（Ｓ２０）、外出前に鍵を閉め忘れずに外出するように促す外出前処理（Ｓ２１）、帰宅後に鍵の施錠を促す帰宅後処理（Ｓ２２）、外出推定時刻を格納する外出推定時刻格納処理（Ｓ２３）を順番に実行する。
ここで、個別の判定処理について詳細に説明する。先ず、Ｓ２０の就寝前処理について図８のフローチャートを参照して説明する。ＣＰＵ５は、就寝前処理を開始するとタイマ５ａの取得した現在時刻が就寝予定時刻以降であり、最終施錠時刻までの間の時間帯内であるか否かを判断する（Ｓ２００）。現在時刻が上記の時間帯内でなければ後述のＳ２０４の処理に移行し、現在時刻が上記の時間帯内であれば、ＣＰＵ５はセンサ状態格納部１４に格納されたセンシング情報を参照して電気錠１０１が開錠状態であるか否か判断する（Ｓ２０１）。判断の結果、開錠状態であればＴＶ通知内容格納部１５に格納における事象「就寝時」に対応する通知内容を読み出してＨＤＭＩＡＶデータ格納部１１に格納し（Ｓ２０２）、Ｓ２０４の処理に移行する。一方、判断の結果、開錠状態でなければ（施錠状態であれば）ＨＤＭＩＡＶデータ格納部１５をクリアし（Ｓ２０３）、Ｓ２０４の処理に移行する。
Ｓ２０４では、ＣＰＵ５はタイマ５ａの取得した現在時刻が最終施錠時刻か否か判断し、最終施錠時刻であれば、センサ状態格納部１４に格納されたセンシング情報を参照して電気錠１０１が開錠状態であるか否か判断する（Ｓ２０５）。開錠状態であればＣＰＵ５は電気錠１０１の施錠制御要求を電気錠ＩＦ部１９から送信して、無線装置１０２に電気錠１０１の施錠制御を実行させて就寝前処理を終了する。また、Ｓ２０４において現在時刻が最終施錠時刻でない場合や、Ｓ２０５において電気錠１０１が開錠状態でない場合（施錠状態である場合）も就寝前処理を終了する。
次に、外出前に鍵を閉め忘れずに外出するように促す外出前処理について、図９のフローチャートを参照して説明する。制御装置１のＣＰＵ５は前日外出時刻格納部１７を参照して外出推定時刻を取得し（Ｓ２１０）、現在時刻が外出推定時刻であるか否か判断する（Ｓ２１１）。現在時刻が外出推定時刻であれば、ＴＶ通知内容格納部１５における事象「外出時」に対応する通知内容を読み出してＨＤＭＩＡＶデータ格納部１１に格納し（Ｓ２１２）外出前処理を終了する。また、Ｓ２１１において現在時刻が外出推定時刻でない場合も外出前処理を終了する。
次に、帰宅後に鍵の施錠を促す帰宅後処理について、図１０のフローチャートを参照して説明する。ＣＰＵ５はセンサ状態格納部１４に格納された前日および当日のセンシング情報を参照し（Ｓ２２０）、電気錠１０１が開錠状態であるか否か判断する（Ｓ２２１）。判断の結果、開錠状態であればＴＶ通知内容格納部１５に格納における事象「帰宅時」に対応する通知内容を読み出してＨＤＭＩＡＶデータ格納部１１に格納し（Ｓ２２３）、帰宅後処理を終了する。一方、判断の結果、開錠状態でなければ（施錠状態であれば）ＨＤＭＩＡＶデータ格納部１５の内容をクリアし（Ｓ２２２）、帰宅後処理を終了する。
次に、外出推定時刻格納処理について、図１１のフローチャートを参照して説明する。ＣＰＵ５は、センサ状態格納部１４に格納された前日および当日のセンシング情報を参照し（Ｓ２３０）、現在時刻の３０分前の時刻から現在時刻の間の時間（直近３０分）においてドアの開閉が検知された否かを判断する（Ｓ２３１）。３０分以内にドアの開閉が検知されなければ外出推定時刻格納処理を終了する。一方、３０分以内にドアの開閉が検知されれば、ドアの開閉が検知された時刻の３０分前の時刻を外出推定時刻として前日外出時刻格納部１７に格納した（Ｓ２３２）後、外出推定時刻格納処理を終了する。
上述の判定処理（Ｓ２０〜Ｓ２３）が終了すると、ＣＰＵ５は報知停止データ格納部２１を参照し報知停止データが格納されており、報知動作が一時停止中であるか否を判断する（Ｓ２４）。報知停止データが格納されておらず、報知動作が一時停止中でないと判断されれば、ＣＰＵ５はＨＤＭＩＡＶデータ格納部１１を参照しＨＤＭＩＡＶデータ格納部１１に通知内容が格納されているか否かを判断する（Ｓ２５）。通知内容が格納されていればＣＰＵ５はＡ／Ｄ変換部７から入力された電流の検出結果からテレビ１００の電源がオンかオフかを判定し（Ｓ２６）、テレビ１００の電源がオンであれば、センサ状態格納部１４を参照し、前回住居人に報知動作を行った時刻から１０分経過しているか否かを判断する（Ｓ２７）。ここにおいて住居人に報知動作を行った場合には、後述のＳ２９で、センサ状態格納部１４に報知時刻が格納されるものであってＣＰＵ５はタイマ５ａが取得した現在時刻が報知時刻から１０分経過したか否かを判断することにより、前回住居人に報知動作を行った時刻から１０分経過しているか否かを判断するものである。
前回住居人に報知動作を行った時刻から１０分経過していると判断されれば、ＣＰＵ５は、ＨＤＭＩＡＶデータ格納部１１に格納された通知内容をＨＤＭＩ通信部９からテレビ１００に出力させて、テレビ１００に住居人に対する報知動作を行う（Ｓ２８）。次にＣＰＵ５はセンサ状態格納部１４の報知時刻書き込み領域において現在時刻から直近のドアの開閉が検知された時間帯に現在時刻を報知時刻として格納し（Ｓ２９）、ＨＤＭＩＡＶデータ格納部に格納された通知内容をクリアして（Ｓ３０）全体処理を終了する。また、Ｓ２４おいて報知動作が一時停止中であると判断された場合や、Ｓ２５において通知内容が格納されていない場合や、Ｓ２６においてテレビ１００の電源がオフの場合や、Ｓ２７において前回住居人に報知動作を行った時刻から１０分経過していないと判断された場合もＣＰＵ５は全体処理を終了する。
以上説明したように、本システムでは住居人の「帰宅時」、「就寝時」、「外出時」を推定して、住居人に玄関ドアの施錠を促す報知を行っている。ただし「就寝時」や「帰宅時」の報知は電気錠１０１の施錠状態を検出することにより電気錠１０１が開錠状態の場合のみ報知を行い、報知を行っても開錠状態が続いている間は一定間隔で施錠がなされるまで通知を続ける構成としている。また、「就寝時」については、住居人の安全面を考慮して最終施錠時刻に至れば、電気錠１０１を自動で施錠制御するようになしている。
したがって、本システムによれば、住居人に玄関ドアの施錠を促す報知を行うことによって、住居人の施錠忘れを防ぐことができ、また、電気錠１０１を用いて自動で施錠制御することにより、施錠を忘れた場合であっても住居人の安全を確保することができる。よって、住居人が高齢者である場合などに特に有用なシステムである。
また、本システムでは、図１２に示すようにＣＰＵ５がセンサ状態格納部１４のセンシング情報をもとに、玄関ドアの開閉検知データおよび当該開閉検知データに対応する時刻と、電気錠１０１の施錠状態データおよび当該施錠状態データに対応する時刻と、報知時刻と、を抽出してＥメール通知内容格納部２０に格納しており、このＥメール通知内容格納部２０に格納された通知内容をもとにＣＰＵ５はＥメールを作成してインターネットＩＦ部１８から、介護ヘルパーや家族などが所持する携帯電話機などの端末装置にＥメールを送信している。したがって、介護ヘルパーや家族などは、Ｅメールを確認して、ドアの開閉データやドアの施錠データを確認することができる。
また、本システムは、報知停止データ格納部２１に入力部２２により報知停止データを入力することにより住居人に報知を一時停止することができる構成となっているので、介護ヘルパーや家族などは、Ｅメールを確認して、報知を一時中止させて住居人の自立的施錠行為を促進することも可能である。
また、本システムでは、住居人のドアの開閉検知データにより住居人の外出推定時刻を推定していたが、入力部２２により住居人や、介護ヘルパーが外出推定時刻を前日外出時刻格納部１７に格納する構成としてもよい。
【符号の説明】
【００１５】
１  制御装置
２  センサ端末
３  栓刃
４  コンセント口
５  ＣＰＵ
５ａ  タイマ
６  電流センサ
７  Ａ／Ｄ変換部
８  電流値格納部
９  ＨＤＭＩ通信部
１０  ＨＤＭＩ制御データ格納部
１１  ＨＤＭＩＡＶデータ格納部
１２  無線通信部
１３  受信データ格納部
１４  センサ状態格納部
１５  ＴＶ通知内容格納部
１６  就寝予定時刻格納部
１７  前日外出時刻格納部
１００  テレビ
【図１】
2010236248.tif 000003
【図２】
2010236248.tif 000004
【図３】
2010236248.tif 000005
【図４】
2010236248.tif 000006
【図５】
2010236248.tif 000007
【図６】
2010236248.tif 000008
【図７】
2010236248.tif 000009
【図８】
2010236248.tif 000010
【図９】
2010236248.tif 000011
【図１０】
2010236248.tif 000012
【図１１】
2010236248.tif 000013
【図１２】
2010236248.tif 000014